(57)【要約】      （修正有）【課題】電池の着脱を容易に行うことができる携帯機器を提供する。【解決手段】電気接点に対向する側壁に設けられ、電池２０を電気接点に向かって付勢する付勢部材を備え、開閉蓋４は、開閉蓋が封鎖位置に位置するときに前記付勢部材に当接する押圧部を備え、付勢部材は、開閉蓋が電池収納凹部１１を開放した状態では、電気接点から離間する向きに変位した状態にあり、開閉蓋を封鎖位置に位置させたとき、開閉蓋の押圧部により電気接点に近接する向きに変位されるものである。【選択図】図２
2009295445.tif 000002
【特許請求の範囲】
【請求項１】
電池を収納可能な電池収納凹部と、
前記電池収納凹部を囲む側壁の一面に配された電気接点と、
前記電池収納凹部を封鎖するための開閉蓋とを備えた携帯機器であって、
前記電気接点に対向する側壁に設けられ、前記電池を前記電気接点に向かって付勢可能な付勢部材と、
前記開閉蓋に設けられ、当該開閉蓋が封鎖位置に位置するときに前記付勢部材を押圧する押圧部とを備え、
前記付勢部材は、
前記開閉蓋が前記電池収納凹部を開放している状態では、前記電池に接触可能な位置にあり、
前記開閉蓋が前記電池収納凹部を封鎖している状態では、前記開閉蓋の前記押圧部により前記電気接点に近接する向きに変位される、携帯機器。
【請求項２】
前記押圧部は、前記開閉蓋を封鎖位置に位置させたとき、前記付勢部材と前記電池収納凹部の前記側壁との間に挿入され、前記付勢部材を前記電気接点に近接する向きに押圧する、請求項１記載の携帯機器。
【発明の詳細な説明】
【技術分野】
【０００１】
本発明は、携帯型テレビジョン受像機などの携帯機器に関する。
【背景技術】
【０００２】
携帯型テレビジョン受像機や携帯電話端末などの携帯機器は、一般的に電池からの給電により駆動するよう構成されている。このような構成の場合、電池（一次電池）を新品に交換したり、電池（二次電池）を充電したりするために、電池を携帯機器に着脱することがあるが、電池を携帯機器から容易に着脱することができる工夫が必要である。
【０００３】
また、電池を電池収納凹部に装着した際に、電池の電極を携帯機器の端子に確実に電気的接続するために、電池収納凹部における端子を板バネやコイルバネなどの弾性手段で形成する構成がある。このような構成とすることで、電池における電極を電池収納凹部における端子に押し当てることができ、電極と端子とを確実に接続することができる。しかし、このような構成において、電極と端子との接続をより確実なものにするためにはバネのレートを高くすればよいが、バネのレートを高くすると電池を携帯端末に対して着脱する際に大きな力が必要となり、着脱しにくいという問題がある。
【０００４】
特許文献１には、電池を携帯機器から容易に離脱することができるように、携帯機器の電池収納凹部において、電池の下部に紐を配し、紐の一端を電池収納凹部に固定し、紐の他端を蓋に固定する構成が開示されている。このような構成において、蓋を開くことで紐のテンションが上がり、電池を離脱方向へ移動させ、電池を電池収納凹部から離脱させることができる。
【特許文献１】特開昭６１−９６６５５号公報
【発明の開示】
【発明が解決しようとする課題】
【０００５】
しかしながら特許文献１に開示されている構成では、電池と携帯機器とを確実に電気的接続するために電池を付勢するバネのレートを高くした場合、電池の離脱は容易に行うことができるが、電池を装着する際はバネを圧縮させるための大きな力が必要となり、容易に装着することができない。また、電池を電池収納凹部に装着する場合、紐を電池の下部に配置させる必要があり、煩雑である。
【０００６】
本発明の目的は、電池の着脱を容易に行うことができる携帯機器を提供することである。
【課題を解決するための手段】
【０００７】
本発明の携帯機器は、電池を収納可能な電池収納凹部と、前記電池収納凹部を囲む側壁の一面に配された電気接点と、前記電池収納凹部を封鎖するための開閉蓋とを備えた携帯機器であって、前記電気接点に対向する側壁に設けられ、前記電池を前記電気接点に向かって付勢可能な付勢部材と、前記開閉蓋に設けられ、当該開閉蓋が封鎖位置に位置するときに前記付勢部材を押圧する押圧部とを備え、前記付勢部材は、前記開閉蓋が前記電池収納凹部を開放している状態では、前記電池に接触可能な位置にあり、前記開閉蓋が前記電池収納凹部を封鎖している状態では、前記開閉蓋の前記押圧部により前記電気接点に近接する向きに変位されるものである。
【発明の効果】
【０００８】
本発明によれば、電池の着脱を容易に行うことができる。
【発明を実施するための最良の形態】
【０００９】
本発明の携帯機器は、上記構成を基本として、以下のような態様をとることができる。すなわち、本発明の携帯機器において、前記押圧部は、前記開閉蓋を封鎖位置に位置させたとき、前記付勢部材と前記電池収納凹部の前記側壁との間に挿入され、前記付勢部材を前記電気接点に近接する向きに押圧する構成とすることができる。このような構成とすることで、簡単な構成で、電池の着脱操作性を向上させることができる。
【００１０】
（実施の形態）
図１Ａは、本実施の形態の携帯機器の一例である携帯型テレビジョン受像機（以下、携帯テレビと称する）の前面側の斜視図である。図１Ｂは、本実施の形態の携帯テレビの背面側の斜視図である。なお、本実施の形態では、携帯機器の一例として携帯テレビを挙げているが、少なくとも電池で駆動する機器であればよく、例えば携帯電話端末や携帯型ゲーム機などがある。
【００１１】
図１Ａに示すように、携帯テレビは、薄型の筐体１の前面に液晶ディスプレイ２を備えている。液晶ディスプレイ２は、受信した放送波を復調して得られた映像をカラー表示することができるディスプレイであり、本実施の形態では画面サイズを５インチとした。また、筐体１の上面には、携帯テレビの電源のオン／オフを切り換え操作可能な電源スイッチ３ａ、受信チャンネルを切り換え操作可能なチャンネル切り換えスイッチ３ｂ、音声の音量を調節可能な音量調節スイッチ３ｃを備えている。また、筐体１の右側面には、記録媒体であるメモリーカードを着脱可能なメモリーカードスロット（不図示）と、メモリーカードスロットを開閉可能な第１のカバー部材６とを備えている。また、図１Ｂに示すように、筐体１の背面には、電池を収容可能な電池収納部と、電池収納部を封鎖する開閉蓋４と、スタンド部材５と、アンテナ８とを備えている、また、筐体１の左側面には、入出力端子（不図示）と、入出力端子を開閉可能な第２のカバー部材７とを備えている。本実施の形態は、電池収納部及び開閉蓋４の構造に特徴がある。
【００１２】
図２は、電池着脱構造の構成を示す分解斜視図である。図２に示すように、筐体１には、電池２０を収納可能な凹状の電池収納凹部１１を備えている。電池収納凹部１１は、樹脂製の壁部１２で囲まれ、上面１１ａ、下面１１ｂ、左側面１１ｃ、右側面１１ｄ、底面１１ｅを有する。壁部１２の外周部には、シリコンなどの弾性樹脂で形成された支持部材１３が配されている。また、電池収納凹部１１の下面１１ｂには、電気接点１５が配されている。また、電池収納凹部１１の上面１１ａには、板バネ１６が配されている。また、電池収納凹部１１の電気接点１５の近傍における底面１１ｅに対向する部分には、リブ１７が形成されている。また、筐体１の背面上における電池収納凹部１１の外側には、凹部１８が形成されている。
【００１３】
支持部材１３は、壁部１３を囲むように配されている。また、支持部材１３は、筐体１の背面と同一面上に溝部１３ａが形成されている。壁部１２の外周部は、筐体１の一部で囲まれている。したがって、支持部材１３は、壁部１２と筐体１により挟持されている。また、筐体１の背面において、支持部材１３と筐体１の上面との間には、２カ所の孔部１４が形成されている。
【００１４】
孔部１４は、開閉蓋４に形成された爪部４４（後述）が係合可能な大きさを有する。
【００１５】
電気接点１５は、筐体１内に配された電源回路に接続されている。また、電気接点１５は、一部が下面１１ｂにおいて露出して配され、電池２０が電池収納凹部１１に装着された際に電気接点１５の露出部分が電池２０の電極２１と接触する。
【００１６】
板バネ１６は、電池収納凹部１１に装着された電池２０を下面１１ｂ側に付勢することができる。また、板バネ１６は、上面１１ａとの間に僅かな隙間を有する。また、板バネ１６は、開閉蓋４が装着されていない状態では、電池２０の上面２０ａとの間に僅かな隙間を有するか、板バネ１６が弾性変形しない程度に上面２０ａと板バネ１６とが接している。よって、電池２０は、下面１１ｂ側に付勢されていない状態にある。
【００１７】
リブ１７は、電池２０の誤挿入による電気接点１５の破損や変形を防止するものである。すなわち、電池２０を底面１１ｅの法線方向に移動させて電池収納凹部１１に挿入した場合、電池２０の端部が電気接点１５の上面に当接し、電気接点１５が破損したり変形したりしてしまう可能性がある。本実施の形態のようにリブ１７を備えることで、電池２０を底面１１ｅに対して斜め方向から挿入しなければならない構造となるため、電池２０の端部が電気接点１５の上面に当接することがなく、電気接点１５が破損したり変形したりすることを防止することができる。
【００１８】
凹部１８は、電池収納凹部１１を封鎖した状態の開閉蓋４の端部に接する位置に形成され、使用者が開閉蓋４を離脱する際に開閉蓋４の端部に指や爪などを引っ掛けやすくするためのものである。
【００１９】
電池２０は、略直方体形状の二次電池で構成されている。また、電池２０の下面２０ｂには、携帯テレビの電池収納凹部１１内に配された電気接点１５に電気的に接続することで、携帯テレビに給電を行うことができる端子２１を備えている。なお、電池２０の形状は一例である。また、電池２０は二次電池に限らず、一次電池であってもよく、一次電池の場合は電気接点１５をプラス側接点とし板バネ１６をマイナス側接点とすれば、本実施の形態と同様に機能する。
【００２０】
図３は、開閉蓋４の構成を示す斜視図である。開閉蓋４は、電池収納凹部１１を覆うことが可能な大きさを有する略板状の蓋部４１の裏面に、壁部４２と突起部４３とが形成されている。また、開閉蓋４は、一側面に２個の爪部４４が形成されている。
【００２１】
壁部４２は、支持部材１３の溝部１３ａに嵌合可能なように略ロの字状に形成されている。また、壁部４２は、溝部１３ａの溝幅よりも大きい厚さを有し、溝部１３ａを押し広げながら嵌合する。
【００２２】
突起部４３は、開閉蓋４で電池収納凹部１１を覆った状態において、板バネ１６と電池収納凹部１１の上面１１ａとの間に挿入され、板バネ１６を下面１１ｂ側に押圧する。よって、突起部４３の厚さは、板バネ１６と電池収納凹部１１の上面１１ａとの隙間よりも大きい厚さを有する。また、突起部４３は、傾斜面４３ａが形成され、先端が細くなっている。傾斜面４３ａは、開閉蓋４を筐体１に装着する際に、板バネ１６と電池収納凹部１１の上面１１ａとの間に突起部４３を挿入しやすくするためのものである。
【００２３】
次に、電池２０及び開閉蓋４の装着動作について説明する。
【００２４】
図４は、電池２０及び開閉蓋４が装着されていない状態の電池収納凹部１１及びその近傍の平面図である。図５は、図４におけるＺ−Ｚ部の断面図である。図４及び図５に示す状態の電池収納凹部１１に、電池２０を装着する際は、矢印Ａに示すように電池２０の下面２０ｂ側をリブ１７と電池収納凹部１１の底面１１ｅとの間に挿入し、次に矢印Ｂに示すように電池２０全体を電池収納凹部１１に挿入する。電池収納凹部１１に電池２０が挿入された状態を図６（断面図）に示す。
【００２５】
図６に示すように、電池収納凹部１１に電池２０が装着された状態では、電池収納凹部１１の上面１１ａと下面１１ｂと左側面１１ｃと右側面１１ｄとにより、電池２０の水平方向の大まかな位置決めがなされている。また、電極２１は電気接点１５に接触可能な位置（電気接点１５に対向する位置）にあるが、板バネ１６と電池２０との間には隙間があるか、板バネ１６が弾性変形しない程度に板バネ１６と電池２０とが接している状態（板バネ１６が低バネ圧状態）にあり、板バネ１６による付勢力が電池２０に作用していないため、電極２１と電気接点１５とは確実な電気的接続となっていない。
【００２６】
次に、電池収納凹部１１を開閉蓋４で封鎖する。開閉蓋４を装着する手順は、まず開閉蓋４に形成された爪部４４を孔部１４に挿入し、次に壁部４２を支持部材１３の溝部１３ａに挿入する。電池収納凹部１１が開閉蓋４で封鎖された状態を図７（断面図）に示す。
【００２７】
図７に示すように、開閉蓋４は、電池収納凹部１１を封鎖している状態において、壁部４２が溝部１３ａを押し広げながら溝部１３ａに挿入されている。よって、壁部４２は、支持部材１３の弾性復帰力によって挟持されるため、これにより支持部材１３は開閉蓋４を保持することができる。また、爪部４４が孔部１４に係合しているため、開閉蓋４の離脱を防ぐことができる。
【００２８】
また、突起部４３は、板バネ１６と上面１１ａとの間に挿入されている。板バネ１６と上面１１ａとの隙間は、突起部４３の厚さよりも小さいため、突起部４３が挿入されると板バネ１６が電池２０の上面２０ａ側（矢印Ｃに示す向き）へ押されて弾性変形し、板バネ１６のバネ圧が上がる。弾性変形した板バネ１６は、電池２０を矢印Ｃに示すように下面１１ｂ側へ付勢する。これにより、電極２１は電気接点１５に押し当てられ、両者は確実に電気的接続する。また、電池２０は、強固に位置決めされる。
【００２９】
次に、電池２０及び開閉蓋４の離脱動作について説明する。
【００３０】
図７に示すように、開閉蓋４が支持部材１３によって保持されている状態において、筐体１の背面における開閉蓋４に接する部分には凹部１８が形成され、開閉蓋４の側面に指をかけることができるように構成されている。凹部１８を介して開閉蓋４の側面に指をかけた状態で、矢印Ｄに示す向きに開閉蓋４を持ち上げることで、開閉蓋４は爪部４４と孔部１４との係合部を軸に回動し、壁部４２が溝部１３ａから離脱する。次に、爪部４４を孔部１４から離脱させることで、開閉蓋４は筐体１から離脱する。
【００３１】
図６に示すように、開閉蓋４を筐体１から離脱させることにより、突起部４３が板バネ１６と上面１１ａとの隙間から離脱するので、電池２０に対する板バネ１６の付勢が解除される。これにより、板バネ１６のバネ圧が低下し、電池２０の位置決めは緩くなる。この状態で、電池２０の上面２０ａと電池収納凹部１１の上面１１ａとの間の隙間に使用者が指や爪を挿入し、電池２０を矢印Ｅに示す離脱方向へ持ち上げることで、電池２０は矢印Ｆに示すようにリブ１７で保持されている部位を軸に回動する。上面２０ａが電池収納凹部１１から離脱する位置まで回動させることで、電池２０の下面２０ｂ側の端部とリブ１７との係合を外すことができる。これにより、電池２０を電池収納凹部１１から離脱させることができる。
【００３２】
本実施の形態によれば、図６に示すように電池収納凹部１１に電池２０のみが装着されている状態では、電池２０は位置が固定されずに電池収納凹部１１内に位置しているため、大きな力を必要とせず容易に電池２０を電池収納凹部１１から着脱させることができる。すなわち、使用者は、電池２０を容易に着脱できる状態にするためには、開閉蓋４を筐体１から取り外すだけでよい。
【００３３】
また、図７に示すように電池２０を電池収納凹部１１に挿入した状態で、開閉蓋４を電池収納凹部１１を封鎖する位置に装着した際に、突起部４３が板バネ１６を押圧して板バネ１６が電池２０を電気接点１５側に押圧する構成としたことにより、電池２０の位置を固定して電極２１を電気接点１５に押し当てることができるので、電極２１と電気接点１５とを確実に接続することができる。また、板バネ１６のバネ圧を高くすることができるので、電池２０を電池収納凹部１１に強固に位置決めすることができる。すなわち、使用者は、携帯機器に対する電池２０の確実な電気的接続と、電池２０の強固な位置決めとを実現するためには、開閉蓋４を電池収納凹部１１を覆う位置に装着するだけでよい。
【００３４】
また、本実施の形態では、特許文献１に開示されているような煩雑な操作（紐を電池の下部に配置させる操作）が必要なく、電池２０の着脱操作性を向上させることができる。
【００３５】
なお、本実施の形態では、携帯機器の一例として携帯型テレビジョン受像機を挙げたが、携帯電話端末、携帯ゲーム機、携帯型医療機器など、少なくとも機器に対して着脱可能な電池で駆動する機器であれば本実施の形態は有効である。
【００３６】
また、本実施の形態における板バネ１６は、本発明における付勢部材の一例である。また、本実施の形態における突起部４３は、本発明における押圧部の一例である。
【産業上の利用可能性】
【００３７】
本発明は、電池を着脱可能な携帯機器に有用である。
【図面の簡単な説明】
【００３８】
【図１Ａ】本実施の形態における携帯機器の外観を示す斜視図
【図１Ｂ】本実施の形態における携帯機器の外観を示す斜視図
【図２】携帯機器、電池、開閉蓋の分解斜視図
【図３】開閉蓋の斜視図
【図４】携帯機器における電池収納凹部近傍の平面図
【図５】図４におけるＺ−Ｚ部の断面図
【図６】電池収納凹部に電池が収納された状態における電池収納凹部近傍の断面図
【図７】開閉蓋が装着された状態における電池収納凹部近傍の断面図
【符号の説明】
【００３９】
１  筐体
４  開閉蓋
１１  電池収納凹部
１５  電気接点
１６  板バネ
２０  電池
【図１Ａ】
2009295445.tif 000003
【図１Ｂ】
2009295445.tif 000004
【図２】
2009295445.tif 000005
【図３】
2009295445.tif 000006
【図４】
2009295445.tif 000007
【図５】
2009295445.tif 000008
【図６】
2009295445.tif 000009
【図７】
2009295445.tif 000010